(57)【特許請求の範囲】
【請求項１】
駆動機構（10）と、
前記駆動機構（10）に駆動される圧縮機構（100）とを備え、
前記圧縮機構（100）は、
前記圧縮機構（100）で圧縮された冷媒が流れる吐出通路（P）と、
互いに重なるように配置される複数の部材（40,50,60,70,80）とを有し、
前記吐出通路（P）は、消音室（M）と、該消音室（M）の流入端に繋がる流入通路（I）と、前記消音室（M）の流出端に繋がる流出通路（O）を含み、
前記消音室（M）は、前記複数の部材（40,50,60,70,80）のうちの２つ以上の部材に亘って形成され、
前記圧縮機構（100）は、第１シリンダ（60）と、第２シリンダ（70）と、前記第１シリンダ（60）の軸方向他端の開口面、及び前記第２シリンダ（70）の軸方向一端の開口面を覆う第２閉塞部材（80）とを含み、
前記流入通路（I）、前記消音室（M）、及び前記流出通路（O）は、前記複数の部材（40,50,60,70,80）の重なる方向に連続して形成され、
前記消音室（M）は、その通路断面積が、前記流入通路（I）及び前記流出通路（O）の通路断面積よりも大きい拡張室（E）を含み、
前記拡張室（E）は、前記第２閉塞部材（80）と、前記第１シリンダ（60）と、前記第２シリンダ（70）とに亘って形成され、
前記第２閉塞部材（80）には、該第２閉塞部材（80）を軸方向に貫通する孔（81）が形成され、
前記第１シリンダ（60）は、該第１シリンダ（60）の軸方向他端側の端面に形成されるとともに前記第２閉塞部材（80）の前記孔（81）と連通する第１凹部（65,69b）と、該第１凹部（65,69b）と連通するとともに前記流出通路（O）と連通する第１孔（64）とを有し、
前記第２シリンダ（70）は、該第２シリンダ（70）の軸方向一端側の端面に形成されるとともに前記第２閉塞部材（80）の前記孔（81）と連通する第２凹部（75,79a）と、該第２凹部（75,79a）と連通するとともに前記流入通路（I）と連通する第２孔（74）とを有し、
前記拡張室（E）は、前記第２閉塞部材（80）の孔（81）、前記第１凹部（65,69b）の内部空間、及び前記第２凹部（75,79a）の内部空間で構成され、
前記第２閉塞部材（80）の孔（81）、前記第１凹部（65,69b）、及び前記第２凹部（75,79a）のそれぞれは、互いに同径に形成され、
前記流入通路（I）、前記流出通路（O）、前記第１シリンダ（60）の第１孔（64）、前記第２シリンダ（70）の第２孔（74）、及び前記拡張室（E）は、同軸に形成されることを特徴とする圧縮機。
【請求項２】
請求項１において、
前記複数の部材（40,50,60,70,80）は、
前記第１シリンダ（60）の軸方向一端の開口面を覆う第１閉塞部材（40）と、
前記第２シリンダ（70）の軸方向他端の開口面を覆う第３閉塞部材（50）とを更に含んでいることを特徴する圧縮機。
【発明の詳細な説明】
【技術分野】
【０００１】
本開示は、圧縮機に関する。
【背景技術】
【０００２】
従来、空気調和装置等の冷凍装置に使用される圧縮機が知られている。特許文献１には、全密閉型の圧縮機が開示されている。この圧縮機では、密閉容器（ケーシング）に圧縮機構部（圧縮機構）と電動機部（電動機）とが収容されている。圧縮機構部は、２つのシリンダと、両シリンダを仕切る中間仕切り板（中間プレート）と、２つのシリンダの開口端を閉塞する２つの軸受部（フロントヘッド、リアヘッド）と、該軸受部の各々に嵌合された２つのバルブカバーとを有する。この圧縮機構部には、２つのシリンダ中間仕切り板、及び２つの軸受部を連通する連通穴（吐出通路）が形成されている。この連通穴は、一方のバルブカバー内に吐出された冷媒ガスを他方のバルブカバー内に導いている。そして、中間仕切り板又はシリンダに形成された連通穴の径が、他の部品に形成された連通穴の径よりも大きくなっている。これにより、圧縮機構部で発生する騒音を低減している。
【先行技術文献】
【特許文献】
【０００３】
【特許文献１】特開２０１２−１６７５８４号公報
【発明の概要】
【発明が解決しようとする課題】
【０００４】
上記特許文献１の圧縮機では、連通穴の大きさは、中間仕切り板やシリンダなどの部品の大きさによってある程度決まってしまう。言い換えると、消音空間の大きさは、部品の大きさによって制約を受けてしまう。そのため、消音空間を十分に確保できない場合があった。
【０００５】
本開示の目的は、圧縮機構で発生する騒音の低減効果を向上することである。
【課題を解決するための手段】
【０００６】
本開示の第１の態様は、圧縮機（1）を対象とする。第１の態様の圧縮機（1）は、駆動機構（10）と、前記駆動機構（10）に駆動される圧縮機構（100）とを備え、前記圧縮機構（100）は、前記圧縮機構（100）で圧縮された冷媒が流れる吐出通路（P）と、互いに重なるように配置される複数の部材（40,50,60,70,80）とを有し、前記吐出通路（P）は、消音室（M）と、該消音室（M）の流入端に繋がる流入通路（I）と、前記消音室（M）の流出端に繋がる流出通路（O）を含み、前記消音室（M）は、前記複数の部材（40,50,60,70,80）のうちの２つ以上の部材に亘って形成されることを特徴とする。
【０００７】
第１の態様では、消音室（M）が２つ以上の部材に亘って形成されるので、消音室（M）の空間を大きく形成できる。これにより、圧縮機構（100）で発生する騒音の低減効果を向上できる。
【０００８】
本開示の第２の態様は、第１の態様において、前記流入通路（I）、前記消音室（M）、及び前記流出通路（O）は、前記複数の部材（40,50,60,70,80）の重なる方向に連続して形成され、前記複数の部材（40,50,60,70,80）は、拡張室（E）がそれぞれ形成される複数の第１部材（40,50,60,70,80）を含み、前記拡張室（E）の通路断面積が、前記流入通路（I）及び前記流出通路（O）の通路断面積よりも大きく、前記消音室（M）は、複数の前記拡張室（E）を含むように、複数の前記第１部材（40,50,60,70,80）に亘って形成されることを特徴とする。
【０００９】
第２の態様では、消音室（M）が複数の第１部材（40,50,60,70,80）に亘って形成されるので、消音室（M）を複数の部材の重なる方向に大きくできる。
【００１０】
本開示の第３の態様は、第１又は第２の態様において、前記消音室（M）は、前記複数の部材（40,50,60,70,80）のうちの３つ以上の部材に亘って形成されることを特徴とする。
【００１１】
第３の態様では、消音室（M）が３つ以上の部材に亘って形成されるので、消音室（M）の空間をより大きくできる。
【００１２】
本開示の第４の態様は、第１〜第３の態様のいずれか１つにおいて、前記複数の部材（40,50,60,70,80）は、拡張室（E）が形成される第１部材（40,50,60,70,80）と、前記拡張室（E）と連通する補助消音室（S）とが形成される第２部材（40,60）とを含み、前記消音室（M）は、前記拡張室（E）と前記補助消音室（S）とを含むように、前記第１部材（40,50,60,70,80）及び前記第２部材（40,60）に亘って形成されることを特徴とする。
【００１３】
第４の態様では、消音室（M）は補助消音室（S）を含むので、消音室（M）の空間をより大きくできる。
【００１４】
本開示の第５の態様は、第１〜第４の態様のいずれか１つにおいて、前記流入通路（I）及び前記流出通路（O）の一方又は両方は、第１通路（P1）と、前記第１通路（P1）と前記消音室（M）とを繋ぐ第２通路（P2）とを有し、前記第２通路（P2）の通路断面積は、前記消音室（M）に近づくにつれて徐々に拡大していることを特徴とする。
【００１５】
第５の態様では、流入通路（I）及び流出通路（O）の一方又は両方に第２通路（P2）を有するので、圧縮動力の損失を低減できる。
【００１６】
本開示の第６の態様は、第１〜第５の態様のいずれか１つにおいて、前記複数の部材（40,50,60,70,80）は、第３部材（40,50,60,70）を含み、前記第３部材（40,50,60,70）は、前記複数の部材が重なる方向の端面に形成され且つ前記流入通路（I）又は流出通路（O）と連通する凹部（65,75,69a,69b,79a,79b）を有し、前記凹部（65,75,69a,69b,79a,79b）の内部空間が、前記消音室（M）の一部を構成していることを特徴とする。
【００１７】
第６の態様では、消音室（M）の一部が凹部（65,75,69a,69b,79a,79b）の内部空間によって構成されるので、第３部材（40,50,60,70）に消音室（M）を形成しやすい。
【００１８】
本開示の第７の態様は、第１〜第６の態様のいずれか１つにおいて、前記複数の部材（40,50,60,70,80）は、第１シリンダ（60）と、第２シリンダ（70）と、前記第１シリンダ（60）の軸方向一端の開口面を覆う第１閉塞部材（40）と、前記第１シリンダ（60）の軸方向他端の開口面、及び前記第２シリンダ（70）の軸方向一端の開口面を覆う第２閉塞部材（80）と、前記第２シリンダ（70）の軸方向他端の開口面を覆う第３閉塞部材（50）とを含んでいることを特徴する。
【００１９】
第７の態様では、２つのシリンダ（60,70）を備える圧縮機（1）で発生する騒音の低減効果を向上できる。
【図面の簡単な説明】
【００２０】
【図１】図１は、実施形態１に係る圧縮機の構成を示す縦断面図である。
【図２】図２は、圧縮機の要部を拡大した縦断面図である。
【図３】図３は、吐出通路の周波数と透過損失との関係を示すグラフである。
【図４】図４は、実施形態２に係る圧縮機の図２相当図である。
【図５】図５は、実施形態２に係る上側シリンダの要部を拡大した斜視図である。
【図６】図６は、実施形態３に係る図２相当図である。
【図７】図７は、実施形態４に係る図２相当図である。
【発明を実施するための形態】
【００２１】
《実施形態１》
実施形態１について説明する。本実施形態の圧縮機（1）は、いわゆる揺動ピストン型のロータリ圧縮機である。この圧縮機（1）は、蒸気圧縮式の冷凍サイクルを行う冷媒回路に設けられ、蒸発器で蒸発した冷媒を吸入して圧縮する。
【００２２】
−圧縮機の全体構成−
図１に示すように、本実施形態の圧縮機（1）は、全密閉型の圧縮機である。圧縮機（1）は、圧縮機構（100）と駆動機構（10）とを備える。圧縮機（1）では、圧縮機構（100）と駆動機構（10）とがケーシング（2）に収容されている。駆動機構（10）は、電動機（20）と駆動軸（30）とで構成される。
【００２３】
〈ケーシング〉
ケーシング（2）は、起立した状態の円筒状の密閉容器である。ケーシング（2）は、円筒状の胴部（3）と、胴部（3）の端部を閉塞する一対の鏡板（4,5）とを備えている。胴部（3）の下部には、吸入管（7,8）が取り付けられる。吸入管（7,8）は、ケーシング（2）の胴部（3）を貫通して、圧縮機構（100）に接続する。上側の鏡板（4）には、吐出管（6）が取り付けられる。吐出管（6）は、ケーシング（2）の頂部を貫通してケーシング（2）の内部空間に開口する。
【００２４】
〈電動機〉
電動機（20）は、ケーシング（2）の内部空間の上部に配置されている。電動機（20）は、固定子（21）と回転子（22）とを備えている。固定子（21）は、ケーシング（2）の胴部（3）に固定されている。回転子（22）には、後述する駆動軸（30）が挿し通される。
【００２５】
〈駆動軸〉
駆動軸（30）は、ケーシング（2）の胴部（3）の上部からケーシング（2）の底部に亘ってケーシング（2）の軸方向（上下方向）に延びている。駆動軸（30）は、電動機（20）によって回転駆動される。駆動軸（30）は、主軸部（31）と、副軸部（32）と、上側偏心部（33）と、下側偏心部（34）とを備える。駆動軸（30）では、主軸部（31）と、上側偏心部（33）と、下側偏心部（34）と、副軸部（32）とが、上から下へ向かって順に配置されている。駆動軸（30）において、主軸部（31）と、上側偏心部（33）と、下側偏心部（34）と、副軸部（32）とは、互いに一体に形成されている。
【００２６】
主軸部（31）と副軸部（32）とは、それぞれが円柱状に形成され、互いに同軸に配置される。主軸部（31）の上部には、電動機（20）の回転子（22）が取り付けられる。主軸部（31）の下部は、後述するフロントヘッド（40）の主軸受部（41）に挿し通される。副軸部（32）は、後述するリアヘッド（50）の副軸受部（51）に挿し通される。駆動軸（30）は、主軸部（31）が主軸受部（41）に支持され、副軸部（32）が副軸受部（51）に支持される。
【００２７】
上側偏心部（33）及び下側偏心部（34）は、主軸部（31）及び副軸部（32）よりも大径の円柱状に形成される。上側偏心部（33）及び下側偏心部（34）は、それぞれの中心軸が主軸部（31）と副軸部（32）の回転中心軸と平行である。上側偏心部（33）及び下側偏心部（34）は、それぞれの中心軸が主軸部（31）と副軸部（32）に対して偏心している。上側偏心部（33）は、駆動軸（30）の回転中心軸に対して、下側偏心部（34）とは反対側へ偏心している。
【００２８】
上側偏心部（33）は、上側ピストン（62）に挿し通される。上側偏心部（33）は、上側ピストン（62）を支持する。下側偏心部（34）は、下側ピストン（72）に挿し通される。下側偏心部（34）は、下側ピストン（72）を支持する。
【００２９】
駆動軸（30）には、給油通路（35）が形成されている。ケーシング（2）の底部に溜まった潤滑油（冷凍機油）は、給油通路（35）を通って、駆動軸（30）の軸受けや圧縮機構（100）の摺動部分へ供給される。
【００３０】
〈圧縮機構〉
圧縮機構（100）は、いわゆる揺動ピストン型のロータリ式圧縮機構である。圧縮機構（100）は、駆動機構（10）によって駆動される。ケーシング（2）の内部空間において、圧縮機構（100）は、電動機（20）の下方に配置されている。
【００３１】
−圧縮機構−
圧縮機構（100）は、二気筒のロータリ式圧縮機構である。圧縮機構（100）は、フロントヘッド（40）と、リアヘッド（50）と、中間プレート（80）とを１つずつ備えている。圧縮機構（100）は、シリンダ（60,70）と、ピストン（62,72）とを２つずつ備えている。
【００３２】
圧縮機構（100）では、下方から上方に向かって順に、リアヘッド（50）と、下側シリンダ（70）と、中間プレート（80）と、上側シリンダ（60）と、フロントヘッド（40）とが、互いに重なり合った状態で配置されている。言い換えると、圧縮機構（100）では、複数の部材が互いに重なるように配置されている。リアヘッド（50）と、下側シリンダ（70）と、中間プレート（80）と、上側シリンダ（60）と、フロントヘッド（40）とは、図外の複数本のボルトによって互いに締結されている。圧縮機構（100）は、フロントヘッド（40）がケーシング（2）の胴部（3）に固定されている。
【００３３】
本実施形態では、上側シリンダ（60）、下側シリンダ（70）、フロントヘッド（40）、リアヘッド（50）及び中間プレート（80）が複数の部材に対応する。
【００３４】
〈上側シリンダ、下側シリンダ、上側ピストン、下側ピストン〉
各シリンダ（60,70）は、肉厚円板状の部材である。各シリンダ（60,70）には、シリンダボア（60a,70a）と吸入ポート（61,71）とが形成される。上側シリンダ（60）と下側シリンダ（70）は、それぞれの厚さが等しい。
【００３５】
各シリンダ（60,70）の中央には、シリンダボア（60a,70a）が形成される。上側シリンダボア（60a）には、肉厚円筒状の上側ピストン（62）が配置される。下側シリンダボア（70a）には、肉厚円筒状の下側ピストン（72）が配置される。上側ピストン（62）には、駆動軸（30）の上側偏心部（33）が挿し通される。下側ピストン（72）には、駆動軸（30）の下側偏心部（34）が挿し通される。圧縮機構（100）では、各シリンダボア（60a,70a）の壁面と各ピストン（62,72）の外周面との間に圧縮室（63,73）が形成される。圧縮機構（100）には、圧縮室（63,73）を高圧室と低圧室に仕切る図外のブレードが設けられる。
【００３６】
吸入ポート（61,71）は、シリンダボア（60a,70a）の壁面からシリンダ（60,70）の径方向外側へ向かって延びる、断面が円形の孔である。この吸入ポート（61,71）は、シリンダ（60,70）の外側面に開口している。上側シリンダ（60）の吸入ポート（61,71）には、上側吸入管（7）が挿入される。下側シリンダ（70）の吸入ポート（61,71）には、下側吸入管（8）が挿入される。
【００３７】
図２に示すように、上側シリンダ（60）には、第１孔（64）と第１凹部（65）とが形成される。上側シリンダ（60）には、下から上に向かって順に、第１凹部（65）と第１孔（64）とが形成される。第１凹部（65）の内部空間と第１孔（64）とは、連続している。
【００３８】
第１孔（64）は、上側シリンダ（60）の上端面から下方に向かって延びる。第１孔（64）の横断面は、円形状である。第１孔（64）の径は、上端から下端に亘って一定である。第１凹部（65）は、上側シリンダ（60）の下端面から上方に向かって延びる。第１凹部（65）の横断面は、円形状である。第１凹部（65）の内径は、上端から下端に亘って一定である。第１孔（64）の径は、第１凹部（65）の内径よりも小さい。第１孔（64）と第１凹部（65）の内部空間とは連通している。具体的には、第１孔（64）の下端は、第１凹部（65）の上側の開口端と連通している。
【００３９】
第１孔（64）及び第１凹部（65）は、上側シリンダ（60）を厚さ方向（上下方向）に貫通する。第１孔（64）及び第１凹部（65）のそれぞれの上下方向の高さは、上側シリンダ（60）の厚さの概ね１/２である。第１孔（64）の上端は、後述するフロントヘッド（40）の第３孔（42）の下端に連通する。第１凹部（65）の内部空間の下端は、後述する中間プレート（80）の第５孔（81）の上端に連通する。
【００４０】
下側シリンダ（70）には、第２孔（74）と第２凹部（75）とが形成される。下側シリンダ（70）には、上から下に向かって順に、第２凹部（75）と第２孔（74）とが形成される。第２凹部（75）の内部空間と第２孔（74）とは、連続している。
【００４１】
第２凹部（75）は、下側シリンダ（70）の上端面から下方に延びる。第２凹部（75）の横断面は、円形状である。第２凹部（75）の内径は、上端から下端に亘って一定である。第２孔（74）は、下側シリンダ（70）の下端面から上方に延びる。第２孔（74）の横断面は、円形状である。第２孔（74）の径は、上端から下端に亘って一定である。第２孔（74）の径は、第２凹部（75）の内径よりも小さい。第２孔（74）と第２凹部（75）の内部空間とは連通している。具体的には、第２凹部（75）の下側の開口端は、第２孔（74）の上端と連通している。第２孔（74）と第２凹部（75）とは、下側シリンダ（70）を厚さ方向（上下方向）に貫通する。第２孔（74）及び第２凹部（75）のそれぞれの上下方向の高さは、下側シリンダ（70）の厚さの概ね１/２である。第２凹部（75）の内部空間の上端は、中間プレート（80）の第５孔（81）の下端と連通している。第２孔（74）の下端は、後述するリアヘッド（50）の第４孔（52）の上端と連通している。
【００４２】
本実施形態では、上側シリンダ（60）が第１シリンダに対応し、下側シリンダ（70）が第２シリンダに対応する。
【００４３】
〈フロントヘッド、リアヘッド〉
フロントヘッド（40）は、上側シリンダ（60）の上端（軸方向一端）の開口面を覆う板状の部材である。フロントヘッド（40）の中央部には、円筒状の主軸受部（41）が形成される。主軸受部（41）には、図外の軸受メタルが嵌め込まれる。この軸受メタルを有する主軸受部（41）は、駆動軸（30）の主軸部（31）を支持する滑り軸受である。
【００４４】
フロントヘッド（40）には、第３孔（42）が形成される。第３孔（42）は、フロントヘッド（40）を厚さ方向（上下方向）に貫通する。第３孔（42）の上端は、ケーシング（2）の内部空間に開口する。第３孔（42）の下端は、上側シリンダ（60）の第１孔（64）に連通する。第３孔（42）の径は、第１孔（64）の径と等しい。
【００４５】
リアヘッド（50）は、下側シリンダ（70）の下端（軸方向他端）の開口面を覆う板状の部材である。リアヘッド（50）の中央部には、円筒状の副軸受部（51）が形成される。副軸受部（51）には、図外の軸受メタルが嵌め込まれる。この軸受メタルを有する副軸受部（51）は、駆動軸（30）の副軸部（32）を支持する滑り軸受である。
【００４６】
リアヘッド（50）には、第４孔（52）が形成される。第４孔（52）は、リアヘッド（50）を厚さ方向（上下方向）に貫通する。第４孔（52）の上端は、下側シリンダ（70）の第２孔（74）に連通する。第４孔（52）の下端は、第４孔（52）の下側に形成された空間を介して、下側圧縮室（73）と連通する。第４孔（52）の径は、第２孔（74）の径と等しい。
【００４７】
本実施形態では、フロントヘッド（40）が第１閉塞部材に対応し、リアヘッド（50）が第３閉塞部材に対応する。
【００４８】
〈中間プレート〉
中間プレート（80）は、円板状の部材である。中間プレート（80）は、上側シリンダの下端（軸方向他端）の開口面、及び下側シリンダの上端（軸方向一端）の開口面を覆う。中間プレート（80）の中央部には、駆動軸（30）を挿し通すための貫通孔が形成されている。
【００４９】
中間プレート（80）には、第５孔（81）が形成される。第５孔（81）は、中間プレート（80）を厚さ方向（上下方向）に貫通する。第５孔（81）の上端は、上側シリンダ（60）の第１凹部（65）の内部空間に連通する。第５孔（81）の下端は、下側シリンダ（70）の第２凹部（75）の内部空間に連通する。第５孔（81）の径は、第１凹部（65）及び第２凹部（75）の内径と等しい。本実施形態では、中間プレート（80）が第２閉塞部材に対応する。
【００５０】
〈吐出通路〉
図２に示すように、圧縮機構（100）には、吐出通路（P）が形成されている。吐出通路（P）は、下側シリンダ（70）の圧縮室（63,73）で圧縮された冷媒を圧縮機構（100）の上方空間へ吐出するための通路である。吐出通路（P）は、消音室（M）と流入通路（I）と流出通路（O）とを含む。下から上に向かって順に、流入通路（I）と、消音室（M）と、流出通路（O）とが配置される。流入通路（I）、消音室（M）、及び流出通路（O）は、上下方向（複数の部材の重なる方向）に連続して形成される。
【００５１】
流入通路（I）は、リアヘッド（50）の第４孔（52）及び下側シリンダ（70）の第２孔（74）によって構成される。言い換えると、流入通路（I）は、リアヘッド（50）及び下側シリンダ（70）の２つの部材に亘って形成される。
【００５２】
消音室（M）は、下側シリンダ（70）の第２凹部（75）の内部空間と、中間プレート（80）の第５孔（81）と、上側シリンダ（60）の第１凹部（65）の内部空間によって構成される。言い換えると、消音室（M）は、３つの部材に亘って形成される。消音室（M）は、複数の拡張室（E）を含む。拡張室（E）は、下側シリンダ（70）の第２凹部（75）の内部空間、中間プレート（80）の第５孔（81）、及び上側シリンダ（60）の第１凹部（65）の内部空間である。言い換えると、拡張室（E）は、上側シリンダ（60）、中間プレート（80）、及び下側シリンダ（70）のそれぞれに形成される。
【００５３】
本実施形態では、上側シリンダ（60）、中間プレート（80）、及び下側シリンダ（70）が第１部材に対応する。本実施形態では、上側シリンダ（60）及び下側シリンダ（70）が第３部材に対応する。
【００５４】
流出通路（O）は、上側シリンダ（60）の第１孔（64）及びフロントヘッド（40）の第３孔（42）によって構成される。言い換えると、流出通路（O）は、上側シリンダ（60）及びフロントヘッド（40）の２つの部材に亘って形成される。
【００５５】
流入通路（I）の流出端は、消音室（M）の流入端に連通する。言い換えると、流入通路（I）の流出端は、下側シリンダ（70）の第２凹部（75）における内部空間の流入端に連通する。流出通路（O）の流入端は、消音室（M）の流出端に連通する。言い換えると、流出通路（O）の流入端は、上側シリンダ（60）の第１凹部（65）における内部空間の流出端に連通する。第１凹部（65）及び第２凹部（75）の内部空間は、消音室（M）の一部を構成している。流入通路（I）、消音室（M）、及び流出通路（O）は、同軸に配置されている。
【００５６】
拡張室（E）の通路断面積は、流入通路（I）及び流出通路（O）の通路断面積よりも大きい。具体的には、下側シリンダ（70）の第２凹部（75）、中間プレート（80）の第５孔（81）、及び上側シリンダ（60）の第１凹部（65）のそれぞれの通路断面積は、リアヘッド（50）の第４孔（52）、下側シリンダ（70）の第２孔（74）のそれぞれの流路断面積よりも大きい。下側シリンダ（70）の第２凹部（75）、中間プレート（80）の第５孔（81）、及び上側シリンダ（60）の第１凹部（65）のそれぞれの通路断面積は、フロントヘッド（40）の第３孔（42）、上側シリンダ（60）の第１孔（64）のそれぞれの流路断面積よりも大きい。
【００５７】
−運転動作−
次に、圧縮機（1）の運転動作について説明する。
【００５８】
電動機（20）が駆動軸（30）を駆動すると、圧縮機構（100）の各ピストン（62,72）が駆動軸（30）によって駆動される。各ピストン（62,72）は、対応するシリンダ（60,70）内において、駆動軸（30）が一回転する毎に、周期的に変位する。なお、上側ピストンの変位の周期と、下側ピストンの変位の周期は、１８０°（すなわち、半周期）ずれている。
【００５９】
各シリンダ（60,70）では、ピストン（62,72）の変位に伴って、圧縮室（63,73）の高圧室と低圧室の容積が変化する。そして、各シリンダ（60,70）では、吸入ポート（61,71）から圧縮室（63,73）へ冷媒を吸入し、吸入した冷媒を圧縮する。圧縮した冷媒を図外の吐出ポート又は吐出通路（P）から圧縮室の外部へ吐出する。上側シリンダ（60）の上側圧縮室（63）において圧縮された冷媒は、フロントヘッド（40）の吐出ポートを通って、フロントヘッド（40）の上方の空間へ吐出される。
【００６０】
下側シリンダ（70）の下側圧縮室（73）において圧縮された冷媒は、リアヘッド（50）の吐出ポートを通って、リアヘッド（50）の下部に形成された空間を介して、第４孔（52）へ流入する。第４孔（52）に流入した冷媒は、下側シリンダ（70）の第２孔（74）、第２凹部（75）の内部空間、中間プレート（80）の第５孔（81）、上側シリンダ（60）の第１凹部（65）の内部空間、第１孔、フロントヘッド（40）の第３孔（42）の順に下から上へ流れる。言い換えると、下側圧縮室（73）において圧縮された冷媒は、流入通路（I）、消音室（M）、流出通路（O）の順に、圧縮機構（100）に形成された吐出通路（P）を下から上へ流れる。
【００６１】
フロントヘッド（40）の第３孔（42）に流入した冷媒は、フロントヘッド（40）の上方の空間へ吐出される。圧縮機構（100）からケーシング（2）の内部空間へ吐出された冷媒は、吐出管（6）を通ってケーシング（2）の外部へ流出する。
【００６２】
−消音室による騒音の低減効果−
消音室（M）に含まれる拡張室（E）の通路断面積は、流入通路（I）及び流出通路（O）の通路断面積よりも大きい。流入通路（I）を通過して拡張室（E）に流入した冷媒は、拡張室（E）で膨張し、速度及び圧力が減少する。これに伴い、冷媒の音のエネルギーも小さくなる。この膨張によって音のエネルギーが小さくなった冷媒は、流出通路（O）の通路断面積に相当する大きさだけ吐出通路（P）を通過する。
【００６３】
残りの音のエネルギーは、吐出通路（P）内の反射により減衰する。具体的には、この反射は、拡張室（E）の流入出端及び流出通路（O）の流出端で生じやすい。この反射によって、吐出通路（P）又は拡張室（E）内で音波の干渉が起こり、音のエネルギーが消費される。これにより、吐出通路（P）内で音のエネルギーが減衰し、騒音が低減される。
【００６４】
図３は、シミュレーションから得られた吐出通路（P）内の周波数と透過損失との関係を示すグラフである。ここで、透過損失とは、ある物体に入射した音の強さと、ある物体を透過した音の強さとの差のことである。透過損失の数値が大きいほど、音の強さが減衰しているといえる。
【００６５】
図中の実線は、本実施形態の吐出通路（P）における周波数と透過損失との関係を示す。図中の点線は、従来の吐出通路における周波数と透過損失との関係を示す。なお、図３における本実施形態の消音室（M）の上下方向の長さは、従来の消音室の上下方向の長さの３倍である。図３における消音室（M）の上下方向の長さ以外の条件は、本実施形態の吐出通路（P）と従来の吐出通路（P）とにおいて、全て同じである。
【００６６】
図３における２ｋＨｚ以下の領域では、従来の吐出通路の透過損失に対し、吐出通路（P）の透過損失の方が大きいことが確認された。言い換えると、従来の吐出通路に対し、吐出通路（P）の方が発生する音が小さいことが確認された。
【００６７】
圧縮機（1）の吐出通路（P）では、１ｋＨｚ以下の音が騒音として聞こえやすい。従来例の吐出通路では、１ｋＨｚ以下の音に対する透過損失が小さく、十分に騒音を低減できない。これに対し、本実施形態では、１ｋＨｚ以下の音に対する透過損失が大きくなるため、吐出通路（P）での騒音の発生を効果的に抑制できる。
【００６８】
−実施形態１の特徴（１）−
本実施形態の圧縮機（1）は、駆動機構（10）と、駆動機構（10）に駆動される圧縮機構（100）とを備える。圧縮機構（100）は、圧縮機構（100）で圧縮された冷媒が流れる吐出通路（P）と、互いに重なるように配置される複数の部材（40,50,60,70,80）とを有する。吐出通路（P）は、消音室（M）と、該消音室（M）の流入端に繋がる流入通路（I）と、消音室（M）の流出端に繋がる流出通路（O）を含む。消音室（M）は、複数の部材（40,50,60,70,80）のうちの２つ以上の部材に亘って形成される。
【００６９】
本実施形態の圧縮機（1）では、消音室（M）が２つ以上の部材に亘って形成される。これにより、消音室（M）が１つの部材に形成される場合に比べて、消音室（M）の空間を大きく形成できる。本実施形態によれば、圧縮機構（100）で発生する騒音の低減効果を向上できる。
【００７０】
−実施形態１の特徴（２）−
本実施形態の圧縮機（1）における流入通路（I）、消音室（M）、及び流出通路（O）は、複数の部材（40,50,60,70,80）の重なる上下方向に連続して形成される。複数の部材（40,50,60,70,80）は、拡張室（E）がそれぞれ形成される上側シリンダ（60）、下側シリンダ（70）、及び中間プレート（80）を含む。拡張室（E）の通路断面積が、流入通路（I）及び流出通路（O）の通路断面積よりも大きい。消音室（M）は、複数の拡張室（E）を含むように、上側シリンダ（60）、下側シリンダ（70）、及び中間プレート（80）に亘って形成される。
【００７１】
本実施形態の圧縮機（1）では、消音室（M）が上側シリンダ（60）、中間プレート（80）、及び下側シリンダ（70）に亘って形成されるので、消音室（M）を上下方向に大きく形成できる。
【００７２】
複数の部材に亘って消音室（M）を形成できるので、消音室（M）の上下方向の長さを設計する際の自由度を増すことができる。その結果、所望の周波数域の騒音を低減できる。具体的には、圧縮機（1）では、吐出する冷媒の脈動に起因して、１ｋＨｚ以下の音が騒音になりやすい。消音室（M）の上下方向の長さを大きくすることで、１ｋＨｚ以下の音に対する透過損失を増大できる。言い換えると、圧縮機（1）の吐出脈動に起因する騒音を効果的に低減できる。
【００７３】
−実施形態１の特徴（３）−
本実施形態の圧縮機（1）の消音室（M）は、複数の部材（40,50,60,70,80）のうちの３つ以上の部材に亘って形成される。
【００７４】
本実施形態の圧縮機（1）では、消音室（M）が３つ以上の部材に亘って形成されるので、消音室（M）を上下方向に大きく形成できる。
【００７５】
−実施形態１の特徴（４）−
本実施形態の圧縮機（1）の複数の部材（40,50,60,70,80）は、上側シリンダ（60）及び下側シリンダ（70）を含む。上側シリンダ（60）及び下側シリンダ（70）は、複数の部材が重なる方向の端面に形成され且つ流入通路（I）又は流出通路（O）と連通する凹部（65,75,69a,69b,79a,79b）を有する。凹部（65,75,69a,69b,79a,79b）の内部空間が、消音室（M）の一部を構成している。
【００７６】
本実施形態の圧縮機（1）では、消音室（M）の一部が、第１凹部（65）及び第２凹部（75）の内部空間によって構成される。本実施形態によれば、上側シリンダ（60）及び下側シリンダ（70）に拡張室（E）を加工しやすい。
【００７７】
−実施形態１の特徴（５）−
本実施形態の圧縮機（1）の複数の部材（40,50,60,70,80）は、上側シリンダ（60）と、下側シリンダ（70）と、上側シリンダ（60）の上端の開口面を覆うフロントヘッド（40）と、上側シリンダ（60）の下端の開口面、及び下側シリンダ（70）の上端の開口面を覆う中間プレート（80）と、下側シリンダ（70）の下端の開口面を覆うリアヘッド（50）とを含んでいる。
【００７８】
本実施形態では、２つのシリンダ（60,70）を備える圧縮機（1）で発生する騒音の低減効果を向上できる。
【００７９】
《実施形態２》
実施形態２について説明する。本実施形態の圧縮機（1）は、実施形態１の圧縮機（1）において、圧縮機構（100）における上側シリンダ（60）の構成を変更したものである。ここでは、本実施形態の上側シリンダ（60）について、実施形態１と異なる点を説明する。
【００８０】
−圧縮機構−
図４及び図５に示すように、上側シリンダ（60）には、第１孔（64）と環状空間（67）とが形成される。第１孔（64）は、上側シリンダ（60）の上端から下端に向かって延びている。第１孔（64）は、上側シリンダ（60）を厚さ方向（上下方向）に貫通する。第１孔（64）の横断面は、円形状である。第１孔（64）の径は、上端から下端に亘って一定である。第１孔（64）の径は、フロントヘッド（40）の第３孔（42）の径と等しく、中間プレート（80）の第５孔（81）の径よりも小さい。第１孔（64）の上端は、第３孔（42）の下端に連通する。第１孔（64）の下端は、第５孔（81）の上端に連通する。
【００８１】
環状空間（67）は、第１孔（64）と同軸に形成された環状の空間である。環状空間（67）は、第１孔（64）の周囲を囲むように形成される。環状空間（67）は、上側シリンダ（60）の下端面から上方に向かって延びる。環状空間（67）の内径は、第１孔（64）の径よりも大きい。環状空間（67）の外径は、中間プレート（80）の第５孔（81）の径と等しい。環状空間（67）の上下方向の高さは、上側シリンダ（60）の厚さの概ね１／２である。環状空間（67）の下端は、中間プレート（80）の第５孔（81）の上端に連通する。環状空間（67）の上端は、閉塞されている。
【００８２】
上側シリンダ（60）には、円管部（66）が設けられている。円管部（66）の径方向内側には、第１孔（64）が形成される。円管部（66）の径方向外側には、環状空間（67）が形成される。言い換えると、円管部（66）は、第１孔（64）と環状空間（67）とを区画している。
【００８３】
円管部（66）は、第１孔（64）と同軸に形成される。円管部（66）の内径は、第１孔（64）の径と等しい。円管部（66）の外径は、中間プレート（80）の第５孔（81）の径よりも小さい。円管部（66）は、上側シリンダ（60）の厚さの概ね１／２の位置から上側シリンダ（60）の下端面へ下方向に延びている。言い換えると、円管部（66）の上下方向の長さは、上側シリンダ（60）の厚さの概ね１／２である。本実施形態では、上側シリンダ（60）が第２部材に対応する。
【００８４】
−吐出通路−
本実施形態における消音室（M）は、下側シリンダ（70）の第２凹部（75）の内部空間と、中間プレート（80）の第５孔（81）と、上側シリンダ（60）の環状空間（67）とによって構成される。言い換えると、消音室（M）は、３つの部材に亘って形成される。消音室（M）は、複数の拡張室（E）と補助消音室（S）とを含む。拡張室（E）は、下側シリンダ（70）の第２凹部（75）の内部空間及び中間プレート（80）の第５孔（81）である。補助消音室（S）は、上側シリンダ（60）の環状空間（67）である。言い換えると、上側シリンダ（60）には、補助消音室（S）が形成されている。補助消音室（S）の下端は、拡張室（E）の上端と連通している。
【００８５】
本実施形態における流出通路（O）は、上側シリンダ（60）の第１孔（64）及びフロントヘッド（40）の第３孔（42）によって構成される。言い換えると、流出通路（O）は、上側シリンダ（60）及びフロントヘッド（40）の２つの部材に亘って形成される。流出通路（O）の流入端は、消音室（M）の流出端に連通する。言い換えると、流出通路（O）の流入端は、中間プレート（80）の第５孔（81）の流出端に連通する。流出通路（O）と消音室（M）の補助消音室（M）とは、上側シリンダ（60）の円管部（66）によって区画されている。
【００８６】
拡張室（E）の通路断面積は、流入通路（I）及び流出通路（O）の通路断面積よりも大きい。具体的には、下側シリンダ（70）の第２凹部（75）及び中間プレート（80）の第５孔（81）のそれぞれの通路断面積は、リアヘッド（50）の第４孔（52）、下側シリンダ（70）の第２孔（74）のそれぞれの流路断面積よりも大きい。下側シリンダ（70）の第２凹部（75）及び中間プレート（80）の第５孔（81）のそれぞれの通路断面積は、フロントヘッド（40）の第３孔（42）及び上側シリンダ（60）の第１孔（64）のそれぞれの流路断面積よりも大きい。
【００８７】
−実施形態２の特徴（１）−
本実施形態の圧縮機（1）の複数の部材（40,50,60,70,80）は、拡張室（E）が形成される下側シリンダ（70）及び中間プレート（80）と、拡張室（E）と連通する補助消音室（S）とが形成される上側シリンダ（60）とを含む。消音室（M）は、拡張室（E）と補助消音室（S）とを含むように、上側シリンダ（60）、下側シリンダ（70）及び中間プレート（80）に亘って形成される。
【００８８】
本実施形態の圧縮機（1）では、消音室（M）は補助消音室（S）を含むので、消音室（M）を上下方向に大きく形成できる。
【００８９】
《実施形態３》
実施形態３について説明する。本実施形態の圧縮機（1）は、実施形態１の圧縮機（1）において、圧縮機構（100）における上側シリンダ（60）及び下側シリンダ（70）の構成を変更したものである。ここでは、本実施形態の上側シリンダ（60）及び下側シリンダ（70）について、実施形態１と異なる点を説明する。
【００９０】
−圧縮機構−
〈上側シリンダ〉
図６に示すように、上側シリンダ（60）には、第１鉛直孔（68a）と第１傾斜孔（68b）とが形成される。上側シリンダ（60）には、下から上に向かって順に、第１鉛直孔（68a）と第１傾斜孔（68b）とが形成される。第１鉛直孔（68a）と第１傾斜孔（68b）とは、連続している。具体的には、第１鉛直孔（68a）の上端と第１傾斜孔（68b）の下端とが接続されている。第１鉛直孔（68a）及び第１傾斜孔（68b）は、上側シリンダ（60）を厚さ方向（上下方向）に貫通する。
【００９１】
第１鉛直孔（68a）は、上側シリンダ（60）の下端面から上方に延びる。第１鉛直孔（68a）の横断面は、円形状である。第１鉛直孔（68a）の径は、上端から下端に亘って一定である。第１鉛直孔（68a）の径は、中間プレート（80）の第５孔（81）の径及び第１傾斜孔（68b）の下端の径と等しい。第１鉛直孔（68a）の上下方向の高さは、上側シリンダ（60）の厚さの概ね１／２である。第１鉛直孔（68a）は、第１傾斜孔（68b）と中間プレート（80）の第５孔（81）とを繋いでいる。
【００９２】
第１傾斜孔（68b）は、上側シリンダ（60）の上端面から下方に延びる。第１傾斜孔（68b）の横断面は、円形状である。第１傾斜孔（68b）の径は、上方に向かうほど次第に縮小している。第１傾斜孔（68b）の上端の径は、フロントヘッド（40）の第３孔（42）の径と等しい。第１傾斜孔（68b）の上端の径は、第１鉛直孔（68a）の径よりも大きい。第１傾斜孔（68b）の上下方向の高さは、上側シリンダ（60）の厚さの概ね１／２である。第１傾斜孔（68b）は、第１鉛直孔（68a）とフロントヘッド（40）の第３孔（42）とを繋いでいる。
【００９３】
〈下側シリンダ〉
下側シリンダ（70）には、第２傾斜孔（78b）が形成される。第２傾斜孔（78b）は、下側シリンダ（70）を厚さ方向（上下方向）に貫通する。第２傾斜孔（78b）は、下側シリンダ（70）の上端から下端に向かって延びる。第２傾斜孔（78b）の横断面は、円形状である。第２傾斜孔（78b）の径は、下方に向かうほど次第に縮小している。言い換えると、第２傾斜孔（78b）の上端の径は、第２傾斜孔（78b）の下端の径よりも大きい。第２傾斜孔（78b）の上端の径は、中間プレート（80）の第３孔（42）の径と等しい。第２傾斜孔（78b）の下端の径は、リアヘッド（50）の第４孔（52）の径と等しい。第２傾斜孔（78b）は、中間プレート（80）の第３孔（42）とリアヘッド（50）の第４孔（52）とを繋いている。
【００９４】
−吐出通路−
本実施形態における流入通路（I）及び流出通路（O）は、第１通路（P1）及び第２通路（P2）を有する。流入通路（I）は、リアヘッド（50）の第４孔（52）及び下側シリンダ（70）の第２傾斜孔（78b）によって構成される。言い換えると、流入通路（I）は、リアヘッド（50）及び下側シリンダ（70）の２つの部材に亘って形成される。
【００９５】
流入通路（I）の第１通路（P1）は、リアヘッド（50）の第４孔（52）である。流入通路（I）の第２通路（P2）は、下側シリンダ（70）の第２傾斜孔（78b）である。下側シリンダ（70）の第２傾斜孔（78b）は、リアヘッド（50）の第４孔（52）と、中間プレート（80）の第５孔（81）とを繋ぐ。第２傾斜孔（78b）の通路断面積は、中間プレート（80）の第５孔（81）に近づくにつれて徐々に拡大している。
【００９６】
消音室（M）は、中間プレート（80）の第５孔（81）及び上側シリンダ（60）の第１鉛直孔（68a）によって構成される。言い換えると、消音室（M）は、中間プレート（80）と上側シリンダ（60）の２つの部材に亘って形成される。消音室（M）は、複数の拡張室（E）を含む。拡張室（E）は、中間プレート（80）の第５孔（81）及び上側シリンダ（60）の第１鉛直孔（68a）のそれぞれに形成される。本実施形態では、上側シリンダ（60）及び中間プレート（80）が第１部材に対応する。
【００９７】
流出通路（O）は、上側シリンダ（60）の第１傾斜孔（68b）及びフロントヘッド（40）の第３孔（42）によって構成される。言い換えると、流出通路（O）は、上側シリンダ（60）及びフロントヘッド（40）の２つの部材に亘って形成される。
【００９８】
流出通路（O）の第１通路（P1）は、フロントヘッド（40）の第３孔（42）である。流出通路（O）の第２通路（P2）は、上側シリンダ（60）の第１傾斜孔（68b）である。上側シリンダ（60）の第１傾斜孔（68b）は、フロントヘッド（40）の第３孔（42）と、上側シリンダ（60）の第１鉛直孔（68a）とを繋ぐ。第１傾斜孔（68b）の通路断面積は、中間プレート（80）の第５孔（81）に近づくにつれて徐々に拡大している。
【００９９】
流入通路（I）の流出端は、消音室（M）の流入端に連通する。言い換えると、流入通路（I）の流出端は、中間プレート（80）の第５孔（81）の流入端に連通する。流出通路（O）の流入端は、消音室（M）の流出端に連通する。言い換えると、流出通路（O）の流入端は、上側シリンダ（60）の第１鉛直孔（68a）の流出端に連通する。
【０１００】
拡張室（E）の通路断面積は、流入通路（I）及び流出通路（O）の通路断面積よりも大きい。具体的には、中間プレート（80）の第５孔（81）及び上側シリンダ（60）の第１鉛直孔（68a）のそれぞれの通路断面積は、リアヘッド（50）の第４孔（52）及び下側シリンダ（70）の第２傾斜孔（78b）の下端のそれぞれの流路断面積よりも大きい。中間プレート（80）の第５孔（81）及び上側シリンダ（60）の第１鉛直孔（68a）のそれぞれの通路断面積は、フロントヘッド（40）の第３孔（42）及び上側シリンダ（60）の第１傾斜孔（68b）の上端のそれぞれの通路断面積よりも大きい。
【０１０１】
−実施形態３の特徴（１）−
本実施形態の圧縮機（1）は、流入通路（I）及び流出通路（O）の両方は、第１通路（P1）と、第１通路（P1）と消音室（M）とを繋ぐ第２通路（P2）とを有する。第２通路（P2）の通路断面積は、前記消音室（M）に近づくにつれて徐々に拡大している。
【０１０２】
ここで、圧縮機構（100）の吐出通路（P）の通路断面において、その通路断面積が急拡大する部分があると、急拡大部分でガス冷媒の渦が発生する。この渦によりガス冷媒の運動エネルギーが損失し、圧縮動力が小さくなってしまう。
【０１０３】
本実施形態の圧縮機（1）では、流入通路（I）及び流出通路（O）の第２通路の通路断面積は、消音室（M）に近づくにつれて徐々に拡大しているので、流入通路（I）及び流出通路（O）と消音室（M）との接続部分で通路断面積が急拡大しない。これにより、本実施形態によれば、圧縮動力の損失を低減できる。
【０１０４】
《実施形態４》
実施形態４について説明する。本実施形態の圧縮機（1）は、実施形態１の圧縮機（1）において、圧縮機構（100）の上側シリンダ（60）及び下側シリンダ（70）の構成を変更したものである。ここでは、本実施形態の上側シリンダ（60）及び下側シリンダ（70）について、実施形態１と異なる点を説明する。
【０１０５】
−圧縮機構−
〈上側シリンダ〉
図７に示すように、上側シリンダ（60）には、第３凹部（69a）と第４凹部（69b）と第１孔（64）とが形成される。上側シリンダ（60）には、上から下に向かって順に、第３凹部（69a）と第１孔（64）と第４凹部（69b）とが形成される。第３凹部（69a）の内部空間と第１孔（64）と第４凹部（69b）の内部空間とは、連続している。具体的には、第３凹部（69a）の下端と第１孔（64）の上端とが接続されている。第１孔（64）の下端と第４凹部（69b）の上端が接続されている。第３凹部（69a）、第１孔（64）、及び第４凹部（69b）は、上側シリンダ（60）を厚さ方向（上下方向）に貫通する。
【０１０６】
第３凹部（69a）は、上側シリンダ（60）の上端面から下方に向かって延びる。第３凹部（69a）の横断面は、円形状である。第３凹部（69a）の内径は、上端から下端に亘って一定である。第３凹部（69a）の内径は、中間プレート（80）の第５孔（81）の径と等しい。第３凹部（69a）の上下方向の高さは、上側シリンダ（60）の厚さの概ね１／３である。第３凹部（69a）の内部空間は、第１孔（64）とフロントヘッド（40）の第３孔（42）とを繋いでいる。
【０１０７】
第４凹部（69b）は、上側シリンダ（60）の下端面から上方に延びる。第４凹部（69b）の横断面は、円形状である。第４凹部（69b）の内径は、上端から下端に亘って一定である。第４凹部（69b）の内径は、中間プレート（80）の第５孔（81）の径と等しい。第４凹部（69b）の上下方向の高さは、上側シリンダ（60）の厚さの概ね１／３である。第４凹部（69b）の内部空間は、第１孔（64）と中間プレート（80）の第５孔（81）とを繋いでいる。
【０１０８】
第１孔（64）は、第３凹部（69a）と第４凹部（69b）との間に形成されている。第１孔（64）の横断面は、円形状である。第１孔（64）の径は、上端から下端に亘って一定である。第１孔（64）の径は、フロントヘッド（40）の第３孔（42）の径と等しい。第１孔（64）の径は、第３凹部（69a）及び第４凹部（69b）の内径よりも小さい。第１孔（64）の上下方向の高さは、上側シリンダ（60）の厚さの概ね１／３である。第１孔（64）は、第３凹部（69a）の内部空間と第４凹部（69b）内部空間とを繋いでいる。
【０１０９】
〈下側シリンダ〉
下側シリンダ（70）には、第５凹部（79a）と第６凹部（79b）と第２孔（74）とが形成される。下側シリンダ（70）には、上から下に向かって順に第５凹部（79a）と第２孔（74）と第６凹部（79b）とが形成される。第５凹部（79a）の内部空間と第２孔（74）と第６凹部（79b）の内部空間とは、連続している。具体的には、第５凹部（79a）の下端と第２孔（74）の上端とが接続されている。第２孔（74）の下端と第６凹部（79b）の上端が接続されている。第５凹部（79a）、第２孔（74）、及び第６凹部（79b）は、下側シリンダ（70）を厚さ方向（上下方向）に貫通する。
【０１１０】
第５凹部（79a）は、下側シリンダ（70）の上端面から下方に向かって延びる。第５凹部（79a）の横断面は、円形状である。第５凹部（79a）の内径は、上端から下端に亘って一定である。第５凹部（79a）の内径は、中間プレート（80）の第５孔（81）の径と等しい。第５凹部（79a）の上下方向の高さは、下側シリンダ（70）の厚さの概ね１／３である。第５凹部（79a）の内部空間は、第２孔（74）とリアヘッド（50）の第４孔（52）とを繋いでいる。
【０１１１】
第６凹部（79b）は、下側シリンダ（70）の下端面から上方に延びる。第６凹部（79b）の横断面は、円形状である。第６凹部（79b）の内径は、上端から下端に亘って一定である。第６凹部（79b）の内径は、中間プレート（80）の第５孔（81）の径と等しい。第６凹部（79b）の上下方向の高さは、下側シリンダ（70）の厚さの概ね１／３である。第６凹部（79b）の内部空間は、第２孔（74）と中間プレート（80）の第５孔（81）とを繋いでいる。
【０１１２】
第２孔（74）は、第５凹部（79a）と第６凹部（79b）との間に形成されている。第２孔（74）の横断面は、円形状である。第２孔（74）の径は、上端から下端に亘って一定である。第２孔（74）の径は、リアヘッド（50）の第４孔（52）の径と等しい。第２孔（74）の径は、第５凹部（79a）及び第６凹部（79b）の内径よりも小さい。第２孔（74）の上下方向の高さは、下側シリンダ（70）の厚さの概ね１／３である。第２孔（74）は、第５凹部（79a）の内部空間と第６凹部（79b）の内部空間とを繋いでいる。
【０１１３】
−吐出通路−
本実施形態における流入通路（I）は、リアヘッド（50）の第４孔（52）の内部空間によって構成される。
【０１１４】
消音室（M）は、上側シリンダ（60）の第３凹部（69a）の内部空間、第１孔（64）及び第４凹部（69b）の内部空間と、中間プレート（80）の第５孔（81）と、下側シリンダ（70）の第５凹部（79a）の内部空間、第２孔（74）、及び第６凹部（79b）の内部空間とによって構成される。言い換えると、消音室（M）は、上側シリンダ（60）、中間プレート（80）、及び下側シリンダ（70）の３つの部材に亘って形成される。消音室（M）は複数の拡張室（E）を含む。拡張室（E）は、上側シリンダ（60）の第３凹部（69a）及び第４凹部（69b）のそれぞれの内部空間と、中間プレート（80）の第５孔（81）と、下側シリンダ（70）の第５凹部（79a）及び第６凹部（79b）のそれぞれの内部空間とに形成される。
【０１１５】
流出通路（O）は、フロントヘッド（40）の第３孔（42）によって構成される。
流入通路（I）の流出端は、消音室（M）の流入端に連通する。言い換えると、流入通路（I）の流出端は、下側シリンダ（70）の第６凹部（79b）の下側開口端に連通する。流出通路（O）の流入端は、消音室（M）の流出端に連通する。言い換えると、流出通路（O）の流入端は、上側シリンダ（60）の第３凹部（69a）の上側開口端に連通する。
【０１１６】
拡張室（E）の通路断面積は、流入通路（I）及び流出通路の通路断面積よりも大きい。具体的には、上側シリンダ（60）の第３凹部（69a）及び第４凹部（69b）と、中間プレート（80）の第５孔（81）と、下側シリンダ（70）の第５凹部（79a）及び第６凹部（79b）のそれぞれの通路断面積は、リアヘッド（50）の第４孔（52）及びフロントヘッド（40）の第３孔（42）のそれぞれの通路断面積よりも大きい。
【０１１７】
《その他の実施形態》
上記実施形態については、以下のような構成としてもよい。
【０１１８】
上記各実施形態の圧縮機（1）は、半密閉型、あるいは開放型であってもよい。
【０１１９】
上記各実施形態の駆動機構（10）は、電動機（20）及び駆動軸（30）以外の構造であってもよい。例えば、駆動機構は、冷媒が膨張する際の動力を圧縮機構（100）の回転動力に変換する拡張機構、他の回転体の動力をベルトなどを介して圧縮機構（100）に伝達する伝達機構であってもよい。
【０１２０】
上記各実施形態の吐出通路（P）は、ロータリ圧縮機の圧縮機構（100）に形成されるが、スクロール圧縮機の圧縮機構に形成されてもよい。具体的には、圧縮機構（100）は、固定スクロールとハウジングとを有する。
【０１２１】
固定スクロールとハウジングとは、複数の部材であり、かつ第１部材である。固定スクロールとハウジングとは、互いに重なって配置される。固定スクロール及びハウジングには、消音室（M）の一部が形成される。固定スクロールに形成された消音室（M）とハウジングに形成された消音室（M）とは、連通する。言い換えると、消音室（M）は、固定スクロール及びハウジングの２つの部材に亘って形成される。消音室（M）の流入端に繋がる流入通路（I）は、固定スクロールに形成される。消音室（M）の流出端に繋がる流出通路（O）は、ハウジングに形成される。流入通路（I）、消音室（M）、及び流出通路（O）は、固定スクロール及びハウジングの重なる方向に連続して形成される。
【０１２２】
固定スクロール及びハウジングのそれぞれには、拡張室（E）が形成される。固定スクロール及びハウジングのそれぞれに形成された拡張室（E）の通路断面積は、固定スクロールに形成された流入通路（I）、及びハウジングに形成された流出通路（O）の通路断面積よりも大きい。消音室（M）は、固定スクロールの拡張室（E）とハウジングの拡張室（E）とを含むように、固定スクロール及びハウジングに亘って形成される。
【０１２３】
上記各実施形態の圧縮機構（100）は、フロントヘッド（40）と、リアヘッド（50）と、シリンダ（60）と、ピストン（62）とを１つずつ備える構成でもよい。
【０１２４】
上記各実施形態の中間プレート（80）は、複数枚で形成されていてもよい。
【０１２５】
上記各実施形態の圧縮機構（100）では、フロントヘッド（40）及びリアヘッド（50）の一方又は両方に凹部が形成されてもよい。この場合、凹部が形成されたフロントヘッド（40）及びリアヘッド（50）が第３部材に対応する。
【０１２６】
上記各実施形態の吐出通路（P）では、拡張室（E）は、フロントヘッド（40）及びリアヘッド（50）の一方又は両方に形成されてもよい。この場合、拡張室（E）が形成されたフロントヘッド（40）及びリアヘッド（50）が第１部材に対応する。
【０１２７】
上記各実施形態の吐出通路（P）の構造は、複数組み合わせてもよい。
【０１２８】
上記実施形態２の吐出通路（P）では、フロントヘッド（40）に補助消音室（S）が形成されてもよい。具体的には、フロントヘッド（40）に第１孔及び環状空間が形成されてもよい。この場合、フロントヘッド（40）が第２部材に対応する。
【０１２９】
上記実施形態３の第２通路（P2）は、流入通路（I）又は流出通路（O）のどちらか一方にあればよい。
【０１３０】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１３１】
以上説明したように、本開示は、圧縮機について有用である。
【符号の説明】
【０１３２】
1   圧縮機
10  駆動機構
100 圧縮機構
40  フロントヘッド（部材，第１部材，第２部材，第３部材，第１閉塞部材）
50  リアヘッド（部材，第１部材，第３部材，第３閉塞部材）
60  上側シリンダ（部材，第１部材，第２部材，第３部材，第１シリンダ）
65  第１凹部（凹部）
70  下側シリンダ（部材，第１部材，第３部材，第２シリンダ）
75  第２凹部（凹部）
80  中間プレート（部材，第１部材，第２閉塞部材）
P   吐出通路
M   消音室
I   流入通路
O   流出通路
E   拡張室
S   補助消音室
P1  第１通路
P2  第２通路
【図１】
0006974769.tif 000002
【図２】
0006974769.tif 000003
【図３】
0006974769.tif 000004
【図４】
0006974769.tif 000005
【図５】
0006974769.tif 000006
【図６】
0006974769.tif 000007
【図７】
0006974769.tif 000008